(57)【要約】  本発明は、特に自動車のドライブトレーン内で使用するための、クラウンギア式ディファレンシャルの形式のディファレンシャルアッセンブリに関する。回転軸線（Ａ）を中心に回転駆動可能な１つのディファレンシャルケース（３）と、クラウンギア歯列を備え、前記ディファレンシャルケース（３）内で回転軸線（Ａ）上に回転可能に保持され、かつ環状に延びるそれぞれ１つの支持面（２５，２６）を備えた２つのサイドシャフトギア（１２，１３）と、スパーギア歯列を備え、前記ディファレンシャルケース（３）と共に回転軸線（Ａ）を中心に公転し、前記サイドシャフトギア（１２，１３）と歯列を介して噛み合い、かつ環状に延びるそれぞれ１つの当接面（２７）を備えた複数のディファレンシャルギア（１１）とが設けられており、前記ディファレンシャルギア（１１）がその当接面（２７）でもって前記サイドシャフトギア（１２，１３）の支持面（２５，２６）に対して回転軸線（Ａ）に向かって支持されているようにした。
2008542637.tif 000002
【特許請求の範囲】
【請求項１】
特に自動車のドライブトレーン内で使用するための、クラウンギア式ディファレンシャルの形式のディファレンシャルアッセンブリにおいて、
回転軸線（Ａ）を中心に回転駆動可能な１つのディファレンシャルケース（３）と、
クラウンギア歯列を備え、前記ディファレンシャルケース（３）内で回転軸線（Ａ）上に回転可能に保持され、かつ環状に延びるそれぞれ１つの支持面（２５，２６）を備えた２つのサイドシャフトギア（１２，１３）と、
スパーギア歯列を備え、前記ディファレンシャルケース（３）と共に回転軸線（Ａ）を中心に公転し、前記サイドシャフトギアと歯列を介して噛み合い、かつ環状に延びるそれぞれ１つの当接面（２７）を備えた複数のディファレンシャルギア（１１）と
が設けられており、
前記ディファレンシャルギア（１１）がその当接面（２７）でもって前記サイドシャフトギア（１２，１３）の支持面（２５，２６）に対して回転軸線（Ａ）に向かって支持されている
ことを特徴とする、ディファレンシャルアッセンブリ。
【請求項２】
当接面（２７）が、それぞれのディファレンシャルギア（１１）の、スパーギア歯列に対して減じられた直径を有する軸方向の突出部（２８）により形成されている、請求項１記載のディファレンシャルアッセンブリ。
【請求項３】
支持面（２５，２６）が、それぞれのサイドシャフトギア（１２，１３）の、クラウンギア歯列に対して減じられた直径を有する軸方向の突出部（２３，２４）により形成されている、請求項１または２記載のディファレンシャルアッセンブリ。
【請求項４】
ディファレンシャルギア（１１）の軸方向の突出部（２８）およびサイドシャフトギア（１２，１３）の軸方向の突出部（２３，２４）が円筒形であり、当接面（２７）が端面であり、支持面（２５，２６）が円筒形の周面である、請求項２または３記載のディファレンシャルアッセンブリ。
【請求項５】
ディファレンシャルギア（１１）の軸方向の突出部（２８）およびサイドシャフトギア（１２，１３）の軸方向の突出部（２３，２４）が円錐形であり、当接面（２７）および支持面（２５，２６）が円錐面である、請求項２または３記載のディファレンシャルアッセンブリ。
【請求項６】
軸方向の突出部（２３，２４）がサイドシャフトギア（１２，１３）のボス（１７，１８）とワンピースであり、サイドシャフトギア（１２，１３）がそのボス（１７，１８）の領域で、そのクラウンギア歯列の領域よりも大きな軸方向の延在寸法を有している、請求項２から５までのいずれか１項記載のディファレンシャルアッセンブリ。
【請求項７】
ジャーナル（９）が設けられており、該ジャーナル（９）が、ディファレンシャルギア（１１）を支承するための軸受区分と、回転軸線（Ａ）に関してより小さな軸方向の延在寸法を有する中央の区分（１６）とを有している、請求項１から６までのいずれか１項記載のディファレンシャルアッセンブリ。
【請求項８】
前記中央の区分（１６）内に、サイドシャフトギア（１２，１３）内に差し込まれたサイドシャフト（６，７）が進入する、請求項７記載のディファレンシャルアッセンブリ。
【請求項９】
前記ジャーナル（９）の中央の区分（１６）が、軸受区分に対して減じられた直径を有する円形の横断面を有している、請求項７または８記載のディファレンシャルアッセンブリ。
【請求項１０】
前記ジャーナル（９）の中央の区分（１６）が、非円形の横断面を、回動防止のために有している、請求項７または８記載のディファレンシャルアッセンブリ。
【請求項１１】
ディファレンシャルギア（１１）が、ディファレンシャルケース（３）に支持するための球状の接触面（２１）を有している、請求項１から１０までのいずれか１項記載のディファレンシャルアッセンブリ。
【請求項１２】
ディファレンシャルギア（１１）が、ディファレンシャルケース（３）に支持するための平坦な接触面（２１）を有している、請求項１から１０までのいずれか１項記載のディファレンシャルアッセンブリ。
【請求項１３】
ディファレンシャルケース（３）がワンピースに製作されている、請求項１から１２までのいずれか１項記載のディファレンシャルアッセンブリ。
【発明の詳細な説明】
【技術分野】
【０００１】
本発明は、ディファレンシャル伝動装置の部分であり、特に自動車のドライブトレーン内で使用するために役立つディファレンシャルアッセンブリ（Ｄｉｆｆｅｒｅｎｔｉａｌａｎｏｒｄｎｕｎｇ）に関する。この種のディファレンシャルアッセンブリはよく知られている。ディファレンシャルアッセンブリは一般に、回転軸線を中心に回転駆動可能な１つのディファレンシャルケースと、ディファレンシャルケース内に回転可能に保持されており、２つのサイドシャフトへのトルク伝達のために役立つ２つのサイドシャフトギアと、ディファレンシャルケースと共に公転し、サイドシャフトギアに歯列を介して噛み合う複数のディファレンシャルギアとを有している。
【０００２】
ディファレンシャルは、その構造および機能形式に関して互いに一致するものの、ギアの形状に関しては相違するベベルギア式ディファレンシャル（Ｋｅｇｅｌｒａｄｄｉｆｆｅｒｅｎｔｉａｌ）とクラウンギア式ディファレンシャル（Ｋｒｏｎｅｎｒａｄｄｉｆｆｅｒｅｎｔｉａｌ）とに区別される。例えばドイツ連邦共和国特許出願公開第１００５９６８４号明細書、ドイツ連邦共和国特許出願公開第３２３６２２７号明細書またはスイス国特許第５７１６６７号明細書から公知であるようなベベルギア式ディファレンシャルの場合、ディファレンシャルギアも、これに噛み合うサイドシャフトギアも、ベベルギア、つまり傘歯車として構成されている。円錐形の形状は、ディファレンシャルギアが回転軸線に関して半径方向内側に移動することができないようにする。クラウンギア式ディファレンシャルの場合は、サイドシャフトギアがクラウンギア、つまり冠歯車として構成されており、これに噛み合うディファレンシャルギアはスパーギアもしくはシリンドリカルギア、つまり平歯車として構成されている。この形状により、ディファレンシャルギアは、サイドシャフトギアに歯列を介して噛み合っていても、そのジャーナル軸線に沿って軸方向で摺動可能である。ディファレンシャルギアが回転軸線に関して半径方向内側に移動することを阻止するために、これまでに種々異なる解決策が提案されている。
【０００３】
ドイツ連邦共和国特許出願公開第１０３５４９９８号明細書からは、クラウンギア式ディファレンシャルの形式のディファレンシャルアッセンブリが公知である。このディファレンシャルアッセンブリは３つのディファレンシャルギアを有している。ディファレンシャルギアは、１つのリングと３つのジャーナルとから成る星形のキャリアエレメントに支承されている。その際、リングは軸方向で見てジャーナル横断面の拡張部を成している。その結果、ディファレンシャルギアはリングに当接することができる。
【０００４】
欧州特許出願公開第１２０３９００号明細書は、ディファレンシャルギアを支承するためのジャーナルを備えた１つの中央のキャリアエレメントを有する類似のクラウンギア式ディファレンシャルを示している。ジャーナルはより大きな幅の肩部により制限されている。この肩部にディファレンシャルギアは当接することができる。
【０００５】
アメリカ合衆国特許第２２７０５６７号明細書からは、１つの共通のジャーナルに支承された２つのディファレンシャルギアを有するクラウンギア式ディファレンシャルが公知である。両ディファレンシャルギアの間で、スリーブがジャーナル上に被せ嵌められている。このスリーブは、ディファレンシャルギアが回転軸線に向かって移動することを阻止する。
【０００６】
ドイツ連邦共和国特許出願公開第１０３０８８００号明細書からは、ディファレンシャルギアがディファレンシャルケースの軸受切欠き内に回転可能に収容されており、その結果、ディファレンシャルギアを支承するための軸受ジャーナルが不要であるクラウンギア式ディファレンシャルが公知である。ディファレンシャルギアが回転軸線に対して半径方向で移動することを阻止するために、ディファレンシャルギアは、クラウンギアの外周面に当接する上側のディスク状のストッパ体と、クラウンギアのリブに当接する下側のディスク状のストッパ体とを有している。
【０００７】
本発明の課題は、軽くて、短い軸方向の構造サイズを有し、かつ簡単に構成されているディファレンシャルアッセンブリを提案することである。
【０００８】
この課題は本発明により、特に自動車のドライブトレーン内で使用するための、クラウンギア式ディファレンシャルの形式のディファレンシャルアッセンブリにおいて、回転軸線を中心に回転駆動可能な１つのディファレンシャルケースと、クラウンギア歯列を備え、前記ディファレンシャルケース内で回転軸線上に回転可能に保持され、かつ環状に延びるそれぞれ１つの支持面を備えた２つのサイドシャフトギアと、スパーギア歯列を備え、前記ディファレンシャルケースと共に回転軸線を中心に公転し、前記サイドシャフトギアと歯列を介して噛み合い、かつ環状に延びるそれぞれ１つの当接面を備えた複数のディファレンシャルギアとが設けられており、前記ディファレンシャルギアがその当接面でもって前記サイドシャフトギアの支持面に対して回転軸線に向かって支持されていることにより解決される。
【０００９】
このディファレンシャルアッセンブリの利点は、短い軸方向の構造長さおよび低い重量にある。その結果、自動車業界からの相応の要求が斟酌される。ディファレンシャルギアは半径方向内側でサイドシャフトギアに支持されている。その際、スパーギア歯列はクラウンギア歯列に噛み合う。これにより、ディファレンシャルギアが回転軸線に向かって摺動することは阻止される。ディファレンシャルギアをサイドシャフトギアに直接支持することにより、構成部分の少ない簡単な構造が得られる。このことは製作コストおよび組立コストに有利に働く。両サイドシャフトギアの回転数が同じであるとき、ディファレンシャルギアとサイドシャフトギアとの間に相対運動は生じない。サイドシャフトギアの回転数がそれぞれ異なるとき、当接面は支持面上を滑動する。その際、当接面と支持面との間の接触領域における回転方向は同じである。
【００１０】
別の有利な構成では、環状に延びる当接面が、それぞれのディファレンシャルギアの、スパーギア歯列に対して減じられた直径を有する軸方向の突出部により形成されている。各サイドシャフトギアの、環状に延びる支持面は有利には、それぞれのサイドシャフトギアの、クラウンギア歯列に対して減じられた直径を有する軸方向の突出部により形成されている。サイドシャフトギアの軸方向の突出部により、特に省スペースな配置が得られる。サイドシャフトギアの軸方向の突出部は有利にはボスとワンピースであり、サイドシャフトギアはボスの領域で、クラウンギア歯列の領域よりも大きな軸方向の延在寸法を有している。
【００１１】
ディファレンシャルギアおよびサイドシャフトギアの軸方向の突出部は有利には円筒形であり、この場合、当接面は端面であり、支持面は円筒形の周面である。これに対して択一的な構成では、ディファレンシャルギアおよびサイドシャフトギアの軸方向の突出部が円錐形であってもよく、この場合、当接面および支持面は円錐面である。このことは、当接面と支持面との間の接触領域で生じる相対運動がころがり運動であるという利点を有している。このことは、磨耗に対し有利に働く。当接面および支持面の別の択一的な形状もやはり考えられる。例えば当接面は球状であってもよい。
【００１２】
別の有利な構成では、ジャーナルが設けられており、該ジャーナルが、ディファレンシャルギアを支承するための軸受区分と、回転軸線に関してより小さな軸方向の延在寸法を有する中央の区分とを有している。その際、中央の区分は、サイドシャフトギア内に差し込まれたサイドシャフトがこの中に進入することができるように構成されている。これにより、ディファレンシャルアッセンブリの特に短い軸方向の構造長さが得られる。有利には、前記ジャーナルの中央の区分が、軸受区分に対して減じられた直径を有する円形の横断面を有している。これに対して択一的には、前記ジャーナルの中央の区分が、非円形の横断面を、回動防止のために有している。このことは、中央の区分内に係入するサイドシャフトがジャーナルの回動を阻止するという利点を有している。これにより、ディファレンシャルケースもしくは軸受ディスク内のジャーナルの支承箇所における磨耗は、このために付加的な構成部分を必要とすることなく最小化される。回動防止は特に唯一のジャーナル上でのまさに２つのディファレンシャルギアの使用時に有利である。ただ２つのディファレンシャルギアの使用は、構成部分の数が最小化されるという付加的な利点を有している。その結果、製作コストおよび組立コストは減じられている。ディファレンシャルギアは、第１の変化形では、ディファレンシャルケースもしくはこのディファレンシャルケースに装着される軸受ディスクに対して支持するための球状の接触面を有していることができる。第２の変化形では、ディファレンシャルギアが、ディファレンシャルケースもしくはこのディファレンシャルケースに装着される軸受ディスクに対して支持するための平坦な接触面を有していてもよい。
【００１３】
別の有利な構成では、ディファレンシャルケースがワンピースに、特に定置のケーシング内にディファレンシャルケースを支承するための、ワンピースに一体成形されたスリーブ付設部を備えてワンピースに製作されている。ワンピースとは、ディファレンシャルケースがギアの組立のために、マルチピースのディファレンシャルケースの場合とは異なり、複数の個別部分に分解され得ないことを意味している。特に、ディファレンシャルケースは鋳造部品として製作されていることができる。この一体的な形状は、僅かな部品数および高い剛性の利点と同時に、安価な製作コストの利点を提供する。
【００１４】
本発明によるディファレンシャルアッセンブリの有利な実施例について以下に図面を参照しながら説明する。
図１：本発明によるディファレンシャルアッセンブリの第１の実施形態の縦断面図である。
図２：図１に示したディファレンシャルアッセンブリのギアセットの縦断面図である。
図３：図２にＸで示した部分の詳細図である。
図４：本発明によるディファレンシャルアッセンブリの第２の実施形態の縦断面図である。
図５：図４に示したディファレンシャルアッセンブリのギアセットの縦断面図である。
図６：図５にＹで示した部分の詳細図である。
図７：本発明によるディファレンシャルアッセンブリの第３の実施形態の縦断面図である。
【００１５】
図１〜図３に示したディファレンシャルアッセンブリ２と、図４〜図６に示したディファレンシャルアッセンブリ２とは、その構造および機能形式に関して互いにほぼ一致し、それゆえ以下に、まずはまとめて説明する。同じ構成部分には同じ符号を付した。図示のディファレンシャルアッセンブリ２は１つのディファレンシャルケース３を有している。ディファレンシャルケース３は、図示しない定置のケーシング内に支承されることができる。このために、ディファレンシャルケース３には、逆方向を向いたスリーブ状の軸受付設部４，５が一体成形されている。軸受付設部４，５はころがり軸受を受容するために役立つ。ディファレンシャルケース３はワンピースに鋳造部品として製作されている。このことは高い剛性ならびに僅かな部品数の利点を有しており、このことは製作コストに有利に働く。ディファレンシャルアッセンブリ２は、自動車のドライブトレーン内のディファレンシャル伝動装置の一部であり、図示しない１つの長手方向ドライブシャフトから２つのサイドシャフト６，７へとトルクを伝達するために役立つ。このために、ディファレンシャルケース３には、フランジ８が一体成形されている。フランジ８には、トルクをディファレンシャルアッセンブリ２へと導入するためのリングギアが固定されることができる。
【００１６】
導入されたトルクは、キャリアエレメント９上に回転可能に支承され、ディファレンシャルケース３と共に公転する複数のディファレンシャルギアもしくはディファレンシャルピニオン１１を介して、これらのディファレンシャルギア１１と噛み合うサイドシャフトギア１２，１３へと伝達される。キャリアエレメント９はここではジャーナルもしくはピンの形で構成されている。ピニオンシャフトとも呼ばれるキャリアエレメントとしてのジャーナル９は、ディファレンシャルケース３に設けられた半径方向の貫通孔１４，１５内に、回転軸線Ａに対して垂直な軸線Ｂに沿って差し込まれ、リテーナリング１０により軸方向で固定されている。ジャーナル９は、２つのディファレンシャルギア１１が支承されている軸受区分に対して減じられた直径Ｄを有する中央の区分１６を有している。これにより、サイドシャフトギア１２，１３内に相対回動不能に差し込まれたサイドシャフト６，７は、中央の区分１６内に進入することができる。これにより、構造スペースは節減される。サイドシャフトギア１２，１３はディファレンシャルケース３に対して一般に、摩擦を減じる当接ディスク１９，２０により軸方向で支持されている。
【００１７】
ディファレンシャルアッセンブリ２はクラウンギア式ディファレンシャルの形式で構成されている。この場合、サイドシャフトギア１２，１３はクラウンギアとして構成されており、ディファレンシャルギア１１はスパーギアもしくはシリンドリカルギアとして構成されている。これにより、コンパクトな構造および低い重量が得られる。クラウンギア式ディファレンシャルの場合、サイドシャフトギア１２，１３のクラウンギア歯列は半径方向で回転軸線Ａに向かって方向付けられており、ディファレンシャルギア１１のスパーギア歯列はジャーナル軸線Ｂに対して平行に方向付けられている。それゆえ、ディファレンシャルギア１１は原理的にジャーナル軸線Ｂ上を半径方向内側または半径方向外側に向かって移動することができる。ディファレンシャルアッセンブリの回転時、ディファレンシャルギア１１は遠心力に基づいて半径方向外側に加速され、その接触面２１でもって、ディファレンシャルケース３内に相応に成形された対応面２２に当接する。
【００１８】
極めて低い回転数時に、ディファレンシャルギア１１が半径方向内側に回転軸線Ａに向かって移動することを阻止するために、サイドシャフトギア１２，１３は、ジャーナル軸線Ｂに向かって方向付けられた軸方向の突出部２３，２４を有している。突出部２３，２４は、ディファレンシャルギア１１がその当接面２７でもって当接することができる支持面２５，２６を有している。ディファレンシャルギア１１をサイドシャフトギア１２，１３に直接支持することにより、僅かな構成部分を備えた簡単な構造が得られる。このことは製作コストおよび組立コストに有利に働く。両サイドシャフトギア１２，１３の回転数が同じとき、すなわち自動車が制動されることなく直進しているとき、ディファレンシャルギア１１とサイドシャフトギア１２，１３との間に相対運動は生じない。カーブ走行時に生じる、サイドシャフトギア１２，１３のそれぞれ異なる回転数時に、当接面２７は支持面２５，２６上を滑動する。その際、当接面２７と支持面２５，２６との間の接触領域における回転方向はそれぞれ同じである。ディファレンシャルギア１１の軸方向の構造長さの寸法および支持面２５，２６の領域におけるサイドシャフトギア１２，１３の直径と、ディファレンシャルケース３の内径とは、製作誤差の考慮の下で、ディファレンシャルギア１１と、サイドシャフトギア１２，１３もしくはディファレンシャルケース３との間に僅かな遊びが設けられているように選択されている。これにより、互いに接触する構成部分間の摩擦力は僅かに維持される。
【００１９】
サイドシャフトギア１２，１３はボス１７，１８とワンピースに構成されている。ボス１７，１８内には、所属のサイドシャフト６，７が、長手方向歯列により相対回動不能に差し込まれている。ボス１７，１８はそれぞれクラウンギア歯列よりも大きな軸方向の延在寸法を有している。このことは、伝達したいトルクの高さに関係しており、ボス１７，１８の長さを決定する。ボス１７，１８内に差し込まれたサイドシャフト６，７は、所属のサイドシャフトギア１２，１３の端面を超えて、ジャーナル９の切欠き１６内にまで突入している。これにより、軸方向の構造スペースは小さく維持される。
【００２０】
以下、実施例の相違点について説明する。図１〜図３に示した実施形態の場合、ディファレンシャルギア１１はそれぞれ、ワンピースに一体成形され、円錐形の周面と、当接面２７を形成する円環形の端面とを備えた１つの軸方向の突出部２８を有している。サイドシャフトギア１２，１３はそれぞれ、円筒形の周面を備えた１つの軸方向の突出部２３，２４を有している。この円筒形の周面は支持面２５，２６を形成し、ディファレンシャルギア１１をその当接面２７で支持する。ディファレンシャルギア１１の接触面２１が球状であり、ディファレンシャルケース３内に設けられた相応の球状の対応面２２に当接することが見て取れる。上下の図半分に示したディファレンシャルギア１１は同一である。ただし、上側の図半分は歯溝を断面しており、下側の図半分は歯を断面している。ディファレンシャルギア１１およびサイドシャフトギア１２，１３は、別の切断平面内に存在する組立開口を通してディファレンシャルケース３内に装入されている。ここでは、唯一のリテーナリング１０が、ジャーナルをディファレンシャルケース３に対して固定するために設けられている。ジャーナル９はその軸受区分においても、その中央の区分においても円形の横断面を有している。
【００２１】
図４〜図６に示した実施形態の場合、ディファレンシャルギア１１はそれぞれ、ワンピースに一体成形され、円筒形の周面と、当接面２７を形成する円環形の端面とを備えた１つの軸方向の突出部２８を有している。サイドシャフトギア１２，１３はそれぞれ、円筒形の周面を備えた１つの軸方向の突出部２３，２４を有している。この円筒形の周面は支持面２５，２６を形成し、ディファレンシャルギア１１をその当接面２７で支持する。ディファレンシャルギア１１の平坦な端面と、サイドシャフトギアの円筒形の周面との間には、僅かな半径方向遊びが設けられている。半径方向遊びは図面では誇張されて描写されている。ディファレンシャルギア１１の接触面２１がここでは平坦であり、ディファレンシャルケース３内に設けられた相応の平坦な対応面２２に支持されていることが見て取れる。この実施形態では、ディファレンシャルギア１１およびサイドシャフトギア１２，１３が、相応の組立開口２９を通してディファレンシャルケース３内に装入される。引き続いて、組立開口２９は軸受ディスク３１，３２により閉鎖される。軸受ディスク３１，３２内にはジャーナル９が保持されており、軸受ディスク３１，３２に対してディファレンシャルギア１１が支持されている。ジャーナル９はその両方の端部でリテーナリング１０により軸受ディスク３５，３６に対して軸方向で固定されている。ジャーナル９の中央の区分１６は横断面で見て非円形である。すなわち、ジャーナル９は、逆向きに方向付けられた２つの偏平化部を有している。これらの偏平化部にはサイドシャフト６，７がその端部でもって回動防止のために係入することができる。これにより、硬化されたジャーナル９が、硬化されていない軸受ディスク３１，３２内で回動することは阻止される。このことは磨耗に対し有利に働く。図４には、ケーシング内にディファレンシャルアッセンブリ２を支承するためのころがり軸受３３，３４およびトルクを導入するためのリングギア３５も示されている。
【００２２】
図７に示した実施形態は、図１〜図３に示した実施形態にほぼ一致する。その点に関しては上記の説明を参照されたい。その際、同じ構成部分には同じ符号を付した。この実施形態は、ディファレンシャルギアおよびサイドシャフトギアの軸方向の突出部が円錐形に構成されていることにより特徴付けられている。この場合、当接面および支持面は円錐面である。このことは、当接面と支持面との間の接触領域で、ころがり運動のみの相対運動時に、同じ速度が示されるという利点を有している。このことは磨耗に対し有利に働く。
【００２３】
種々異なる実施形態の個々の特徴が任意に相互に交換可能であることは自明である。つまり、例えば図４〜図６に示した実施形態は、円錐形の当接面もしくは支持面を有していてもよい。さらに、図１〜図３もしくは図７に示した実施形態は、中央の区分に非円形の横断面を有するジャーナルを有していてもよい。
【図面の簡単な説明】
【００２４】
【図１】本発明によるディファレンシャルアッセンブリの第１の実施形態の縦断面図である。
【図２】図１に示したディファレンシャルアッセンブリのギアセットの縦断面図である。
【図３】図２にＸで示した部分の詳細図である。
【図４】本発明によるディファレンシャルアッセンブリの第２の実施形態の縦断面図である。
【図５】図４に示したディファレンシャルアッセンブリのギアセットの縦断面図である。
【図６】図５にＹで示した部分の詳細図である。
【図７】本発明によるディファレンシャルアッセンブリの第３の実施形態の縦断面図である。
【符号の説明】
【００２５】
２  ディファレンシャルアッセンブリ
３  ディファレンシャルケース
４  軸受付設部
５  軸受付設部
６  サイドシャフト
７  サイドシャフト
８  フランジ
９  キャリアエレメント／ジャーナル
１０  リテーナリング
１１  ディファレンシャルギア
１２  サイドシャフトギア
１３  サイドシャフトギア
１４  貫通孔
１５  貫通孔
１６  中央の区分／切欠き
１７  ボス
１８  ボス
１９  当接ディスク
２０  当接ディスク
２１  接触面
２２  対応面
２３  突出部（サイドシャフトギア）
２４  突出部（サイドシャフトギア）
２５  支持面
２６  支持面
２７  当接面
２８  突出部（ディファレンシャルギア）
２９  組立開口
３１  軸受ディスク
３２  軸受ディスク
３３  ころがり軸受
３４  ころがり軸受
３５  リングギア
Ａ  回転軸線
Ｂ  ジャーナル軸線
Ｄ  直径
【図１】
2008542637.tif 000003
【図２】
2008542637.tif 000004
【図３】
2008542637.tif 000005
【図４】
2008542637.tif 000006
【図５】
2008542637.tif 000007
【図６】
2008542637.tif 000008
【図７】
2008542637.tif 000009
【手続補正書】
【提出日】平成20年8月5日(2008.8.5)
【手続補正１】
【補正対象書類名】特許請求の範囲
【補正対象項目名】全文
【補正方法】変更
【補正の内容】
【特許請求の範囲】
【請求項１】
特に自動車のドライブトレーン内で使用するための、クラウンギア式ディファレンシャルの形式のディファレンシャルアッセンブリにおいて、
回転軸線（Ａ）を中心に回転駆動可能な１つのディファレンシャルケース（３）と、
クラウンギア歯列を備え、前記ディファレンシャルケース（３）内で回転軸線（Ａ）上に回転可能に保持され、かつ環状に延びるそれぞれ１つの支持面（２５，２６）を備えた２つのサイドシャフトギア（１２，１３）と、
スパーギア歯列を備え、前記ディファレンシャルケース（３）と共に回転軸線（Ａ）を中心に公転し、前記サイドシャフトギアと歯列を介して噛み合い、かつ環状に延びるそれぞれ１つの当接面（２７）を備えた複数のディファレンシャルギア（１１）と
が設けられており、
前記ディファレンシャルギア（１１）がその当接面（２７）でもって前記サイドシャフトギア（１２，１３）の支持面（２５，２６）に対して回転軸線（Ａ）に向かって支持されている
ことを特徴とする、ディファレンシャルアッセンブリ。
【国際調査報告】
2008542637.tif 000010
2008542637.tif 000011
2008542637.tif 000012
2008542637.tif 000013